(57)【要約】      （修正有）【課題】構造が簡単で、安全に扉の開閉とその開閉規制を行なうことができる扉開閉規制装置を提供する。【解決手段】制御盤本体内部に固定される取付金具５と、取付金具に回動可能に取り付けられ、外力により上方へ回動し自重により下方へ回動する回動部材４２とを備える。取付金具は、回動部材４２と当接することにより、回動部材の下方への回動限界を規制する下限ストッパーと、回動部材と当接することにより、回動部材の上方への回動限界を規制する上限ストッパーとを有する。回動部材４２は、主扉２と当接可能な先端を有する主扉側アーム４４と、副扉３と当接可能な先端を有する副扉側アーム４５とを備えている。主扉側アーム４４の先端に合成樹脂製の当接部４８が取り付けられ、副扉側アーム４５の先端に合成樹脂製の可動当接部４９が回動自在に軸支される。【選択図】図１
0003176285.tif 000002
【実用新案登録請求の範囲】
【請求項１】
観音開き式の主扉と副扉を備える制御盤の扉開閉規制装置において、
制御盤本体内部に固定される取付部材と、前記取付部材に配設され、閉状態の主扉及び副扉と平行な水平軸を回転中心として、外力により上方へ回動可能かつ自重により下方へ回動可能な回動部材とを備え、
前記取付部材は、前記回動部材と当接することにより、該回動部材の下方への回動限界を規制する下限ストッパーと、前記回動部材と当接することにより、該回動部材の上方への回動限界を規制する上限ストッパーとを有し、
前記回動部材は、前記主扉と当接可能な先端を有する主扉側アームと、前記副扉と当接可能な先端を有する副扉側アームとを備え、
前記回動部材が自重により前記下限ストッパーと当接状態にあるとき、前記主扉側アームの先端は、前記水平軸と略同じ高さ位置又は前記水平軸よりも低い位置に在り、また、前記回動部材が自重により前記下限ストッパーと当接状態にあるとき、前記副扉側アームの先端は、前記水平軸よりも高い位置に在り、
該主扉側アームの先端に合成樹脂製の当接部が取り付けられ、該副扉側アームの先端に合成樹脂製の可動当接部が回動自在に軸支されたことを特徴とする扉開閉規制装置。
【請求項２】
観音開き式の主扉と副扉を備える制御盤の扉開閉規制装置において、
制御盤本体内部に固定される取付部材と、前記取付部材に配設され、閉状態の主扉及び副扉と平行な水平軸を回転中心として、外力により下方へ回動可能かつばね部材のばね力により上方へ回動可能な回動部材とを備え、
前記取付部材は、前記ばね力に抗し、前記回動部材と当接することにより、該回動部材の上方への回動限界を規制する上限ストッパーを有し、
前記回動部材は、前記主扉と当接可能な先端を有する主扉側アームと、前記副扉と当接可能な先端を有する副扉側アームとを備え、
前記回動部材が前記ばね力により前記上限ストッパーと当接状態にあるとき、前記主扉側アームの先端は、前記水平軸と略同じ高さ位置又は前記水平軸よりも高い位置に在り、また、前記回動部材がばね力により前記上限ストッパーと当接状態にあるとき、前記副扉側アームの先端は、前記水平軸よりも低い位置に在り、
該主扉側アームの先端に合成樹脂製の当接部が取り付けられ、該副扉側アームの先端に合成樹脂製の可動当接部が回動自在に軸支されたことを特徴とする扉開閉規制装置。
【請求項３】
観音開き式の主扉と副扉を備える制御盤の扉開閉規制装置において、
制御盤本体内部に固定される取付部材と、前記取付部材に配設され、閉状態の主扉及び副扉と平行な水平軸を回転中心として、外力により上方へ回動可能かつばね部材のばね力により下方へ回動可能な回動部材とを備え、
前記取付部材は、前記ばね力に抗し、前記回動部材と当接することにより、該回動部材の下方への回動限界を規制する下限ストッパーを有し、
前記回動部材は、前記主扉と当接可能な先端を有する主扉側アームと、前記副扉と当接可能な先端を有する副扉側アームとを備え、
前記回動部材が前記ばね力により前記下限ストッパーと当接状態にあるとき、前記主扉側アームの先端は、前記水平軸と略同じ高さ位置又は前記水平軸よりも低い位置に在り、また、前記回動部材がばね力により前記下限ストッパーと当接状態にあるとき、前記副扉側アームの先端は、前記水平軸よりも高い位置に在り、
該主扉側アームの先端に合成樹脂製の当接部が取り付けられ、該副扉側アームの先端に合成樹脂製の可動当接部が回動自在に軸支されたことを特徴とする扉開閉規制装置。
【考案の詳細な説明】
【技術分野】
【０００１】
本考案は、制御盤等の扉の開閉を規制して作業の安全性を確保するようにした扉開閉規制装置に関する。
【背景技術】
【０００２】
従来、複数枚の扉を有する制御盤において、主扉を開けると自動的に制御盤内が断線状態（非活線状態）になり、制御盤内での作業を安全に行うことができるようにし、また、主扉を閉じると自動的に制御盤内が活線状態になるよう構成された制御盤が知られている。このような制御盤においては、主扉以外の扉が開いている状態で主扉を閉じても制御盤内が自動的に活線状態になるため、安全性に問題が生じる。そこで、従来から、主扉以外の扉が開いている状態では、主扉を閉じることができないようにし、安全性の確保を目的とした、下記特許文献１，２に示すような発明が提案されている。
【先行技術文献】
【特許文献】
【０００３】
【特許文献１】実開平４−１２１３０６号公報
【特許文献２】特開平６−３３５１２０号公報
【特許文献３】特開２００４−５６８４２号公報
【考案の概要】
【考案が解決しようとする課題】
【０００４】
しかし、従来の上記のような扉開閉規制装置は、構造が複雑であり、製造コストも高くなる課題があった。そこで、本出願人は、上記特許文献３により、構造が簡単で、安価に製造可能な扉開閉規制装置を提案した。
【０００５】
この扉開閉規制装置は、簡単な構造を有し、主扉以外の扉が開いた状態で、主扉を閉じることができないように構成されているものの、使用者の使用状況によっては、扉の開閉を規制する金属製のアームの先端が使用者の手などに当る不具合があり、また、扉が閉じるとき、その裏面にアームが当るため、扉に傷が付くなどの課題があった。
【０００６】
本考案は、上述の課題を解決するものであり、構造が簡単で、安全に扉の開閉とその開閉規制を行なうことができる扉開閉規制装置を提供することを目的とする。
【課題を解決するための手段】
【０００７】
本考案に係る扉開閉規制装置は、観音開き式の主扉と副扉を備える制御盤の扉開閉規制装置において、
制御盤本体内部に固定される取付部材と、前記取付部材に配設され、閉状態の主扉及び副扉と平行な水平軸を回転中心として、外力により上方へ回動可能かつ自重により下方へ回動可能な回動部材とを備え、
前記取付部材は、前記回動部材と当接することにより、該回動部材の下方への回動限界を規制する下限ストッパーと、前記回動部材と当接することにより、該回動部材の上方への回動限界を規制する上限ストッパーとを有し、
前記回動部材は、前記主扉と当接可能な先端を有する主扉側アームと、前記副扉と当接可能な先端を有する副扉側アームとを備え、
前記回動部材が自重により前記下限ストッパーと当接状態にあるとき、前記主扉側アームの先端は、前記水平軸と略同じ高さ位置又は前記水平軸よりも低い位置に在り、また、前記回動部材が自重により前記下限ストッパーと当接状態にあるとき、前記副扉側アームの先端は、前記水平軸よりも高い位置に在り、
該主扉側アームの先端に合成樹脂製の当接部が取り付けられ、該副扉側アームの先端に合成樹脂製の可動当接部が回動自在に軸支されたことを特徴とする。
【０００８】
この考案の扉開閉規制装置によれば、副扉を開放した状態で、主扉を閉方向へ操作すると、主扉側アームの先端の当接部は主扉の裏面と当接するようになるが、この当接部の高さ位置は水平軸の高さ位置と略同じ又は低いことから、当接部は上方へ押し上げられず、回動部材は上方へ回動しないので、副扉を開けた状態で主扉を閉じることはできない。一方、主扉及び副扉が開状態のときに副扉を閉方向へ操作すると、副扉側アームの先端の可動当接部は副扉の裏面と当接し、その当接部の高さ位置は水平軸よりも高いことから、可動当接部は副扉の裏面によって押し上げられ、回動部材は上方へ回動し、回動部材の上方への回動に伴い、主扉側アームの先端の当接部は水平軸よりも高い位置に在るようになり、その後に主扉を閉方向へ操作したとき、主扉は、主扉側アームの当接部を押し上げ、閉じることができる。
【０００９】
このように、主扉側アームの先端に合成樹脂製の当接部が取り付けられ、副扉側アームの先端に合成樹脂製の可動当接部が回動自在に軸支されるので、扉に裏面に当接したとき、扉に傷が付かず、使用者の手などがアームに触れた場合でも、安全である。また、副扉側アーム先端の可動当接部は回動自在に軸支されるので、副扉を閉じたとき、副扉の裏面を可動当接部に押し当てながら回動させ、扉開閉規制装置の回動部材を円滑に回動させることができる。
【００１０】
また、請求項２に係る扉開閉規制装置は、観音開き式の主扉と副扉を備える制御盤の扉開閉規制装置において、
制御盤本体内部に固定される取付部材と、前記取付部材に配設され、閉状態の主扉及び副扉と平行な水平軸を回転中心として、外力により下方へ回動可能かつばね部材のばね力により上方へ回動可能な回動部材とを備え、
前記取付部材は、前記ばね力に抗し、前記回動部材と当接することにより、該回動部材の上方への回動限界を規制する上限ストッパーを有し、
前記回動部材は、前記主扉と当接可能な先端を有する主扉側アームと、前記副扉と当接可能な先端を有する副扉側アームとを備え、
前記回動部材が前記ばね力により前記上限ストッパーと当接状態にあるとき、前記主扉側アームの先端は、前記水平軸と略同じ高さ位置又は前記水平軸よりも高い位置に在り、また、前記回動部材がばね力により前記上限ストッパーと当接状態にあるとき、前記副扉側アームの先端は、前記水平軸よりも低い位置に在り、該主扉側アームの先端に合成樹脂製の当接部が取り付けられ、該副扉側アームの先端に合成樹脂製の可動当接部が回動自在に軸支されたことを特徴とする。
【００１１】
この請求項２に係る扉開閉規制装置によれば、主扉及び副扉が共に開状態のときには、回動部材はばね力により上限ストッパーと当接状態にあり、主扉側アームの先端は、水平軸と略同じ又は高い位置に在り、また、副扉側アームの先端は、水平軸よりも低い位置に在る。この状態で主扉を閉方向へ操作すると、主扉側アームの先端の当接部は主扉の裏面と当接するようになるが、この先端の高さ位置は水平軸と略同じ又は高い位置に在ることから、先端は下方へ押し下げられず、回動部材は下方へ回動しない。このため、副扉を開けた状態で主扉を閉じることはできない。一方、主扉及び副扉が開状態のときに副扉を閉方向へ操作すると、副扉側アームの先端の当接部は副扉の裏面と当接するようになる。このとき、先端の高さ位置は水平軸よりも低い位置に在ることから、先端は副扉の裏面によってばね力に抗して押し下げられ、回動部材は下方へ回動する。この回動部材の下方への回動に伴い、主扉側アームの先端の高さ位置は水平軸の高さ位置よりも下方に位置するようになり、その後に主扉を閉方向へ操作したとき、主扉は、主扉側アームの先端の当接部を押し下げ、閉じることができる。
【００１２】
このように、主扉側アームの先端に合成樹脂製の当接部が取り付けられ、副扉側アームの先端に合成樹脂製の可動当接部が回動自在に軸支されるので、扉に裏面に当接したとき、扉に傷が付かず、使用者の手などがアームに触れた場合でも、安全である。また、副扉側アーム先端の可動当接部は回動自在に軸支されるので、副扉を閉じたとき、副扉の裏面を可動当接部に押し当てながら回動させ、扉開閉規制装置の回動部材を円滑に回動させることができる。
【００１３】
また、請求項３に係る扉開閉規制装置は、観音開き式の主扉と副扉を備える制御盤の扉開閉規制装置において、
制御盤本体内部に固定される取付部材と、前記取付部材に配設され、閉状態の主扉及び副扉と平行な水平軸を回転中心として、外力により上方へ回動可能かつばね部材のばね力により下方へ回動可能な回動部材とを備え、
前記取付部材は、前記ばね力に抗し、前記回動部材と当接することにより、該回動部材の下方への回動限界を規制する下限ストッパーを有し、
前記回動部材は、前記主扉と当接可能な先端を有する主扉側アームと、前記副扉と当接可能な先端を有する副扉側アームとを備え、
前記回動部材が前記ばね力により前記下限ストッパーと当接状態にあるとき、前記主扉側アームの先端は、前記水平軸と略同じ高さ位置又は前記水平軸よりも低い位置に在り、また、前記回動部材がばね力により前記下限ストッパーと当接状態にあるとき、前記副扉側アームの先端は、前記水平軸よりも高い位置に在り、該主扉側アームの先端に合成樹脂製の当接部が取り付けられ、該副扉側アームの先端に合成樹脂製の可動当接部が回動自在に軸支されたことを特徴とする。
【００１４】
請求項３に係る扉開閉規制装置によれば、主扉及び副扉が共に開状態のときには、回動部材はばね力により下限ストッパーと当接状態にあり、主扉側アームの先端は、水平軸と略同じ又は低い位置に在り、また、副扉側アームの先端は、水平軸よりも高い位置に在る。この状態で主扉を閉方向へ操作すると、主扉側アームの先端の当接部は主扉の裏面と当接するようになるが、この先端の高さ位置は水平軸と略同じ又は低い位置に在ることから、先端は上方へ押し上げられず、回動部材は上方へ回動しない。このため、副扉を開けた状態で主扉を閉じることはできない。一方、主扉及び副扉が開状態のときに副扉を閉方向へ操作すると、副扉側アームの先端の当接部は副扉の裏面と当接するようになる。このとき、先端は水平軸よりも高い位置に在ることから、先端は副扉の裏面によってばね力に抗して押し下げられ、回動部材は上方へ回動する。この回動部材の上方への回動に伴い、主扉側アームの先端は水平軸よりも高い位置に在るようになり、その後に主扉を閉方向へ操作したとき、主扉は、主扉側アームの先端を押し上げ、閉じることができる。
【００１５】
このように、主扉側アームの先端に合成樹脂製の当接部が取り付けられ、副扉側アームの先端に合成樹脂製の可動当接部が回動自在に軸支されるので、扉に裏面に当接したとき、扉に傷が付かず、使用者の手などがアームに触れた場合でも、安全である。また、副扉側アーム先端の可動当接部は回動自在に軸支されるので、副扉を閉じたとき、副扉の裏面を可動当接部に押し当てながら回動させ、扉開閉規制装置の回動部材を円滑に回動させることができる。
【考案の効果】
【００１６】
この考案によれば、構造が簡単で、製造コストが安価となり、また、扉の開閉を規制する主扉側アーム及び副扉側アームの先端に合成樹脂製の当接部または可動当接部が取り付けられるので、使用者の手などが主扉側アームや副扉側アームの先端に当っても安全であり、また、扉を閉じるとき、その裏面にアームが当っても、扉に傷が付くことはない。さらに、副扉側アーム先端の可動当接部は回動自在に軸支されるので、副扉を閉じたとき、副扉の裏面を可動当接部に押し当てながら回動させ、扉開閉規制装置の回動部材を円滑に回動させることができる。
【図面の簡単な説明】
【００１７】
【図１】本考案の第１実施形態の扉開閉規制装置が組み込まれた制御盤の概略斜視図である。
【図２】主扉及び副扉が共に開状態のときの第１実施形態の扉開閉規制装置の斜視図である。
【図３】主扉及び副扉が共に閉状態のときの第１実施形態の扉開閉規制装置の斜視図である。
【図４】第１実施形態の扉開閉規制装置の平面図である。
【図５】（Ａ）は、主扉及び副扉が共に開状態のときの第１実施形態の扉開閉規制装置の側面図、（Ｂ）は、主扉及び副扉が共に閉状態のときの第１実施形態の扉開閉規制装置の側面図である。
【図６】本考案の第２実施形態の扉開閉規制装置が組み込まれた制御盤の概略斜視図である。
【図７】主扉および副扉が共に開状態のときの第２実施形態の扉開閉規制装置の斜視図である。
【図８】主扉および副扉が共に閉状態のときの第２実施形態の扉開閉規制装置の斜視図である。
【図９】（Ａ）は、主扉及び副扉が共に開状態のときの第２実施形態の扉開閉規制装置の側面図、（Ｂ）は、主扉及び副扉が共に閉状態のときの第２実施形態の扉開閉規制装置の側面図である。
【考案を実施するための形態】
【００１８】
以下、本考案の一実施形態を図面に基づいて説明する。図１〜図５は制御盤に装着した第１実施形態の扉開閉規制装置を示しており、制御盤は、図１に示すように、本体部１と観音開き式の主扉２及び副扉３を備えている。制御盤の内部構成については、公知のため図示をしないが、主扉２を開けると、制御盤内が断線状態（非活線状態）となり、主扉２を閉じると、制御盤内が活線状態となるよう構成されている。
【００１９】
本体部１の床１１には、主扉２及び副扉３の開閉を規制するための扉開閉規制装置４が配設されている。この扉開閉規制装置４は、図２〜図５に示すように、本体部１の床１１に、水平板部５ａがねじ等で固定される断面Ｌ字状の取付金具５に取り付けられる。扉開閉規制装置４は、取付金具５の垂直板部５ｂにねじ等で固定される取付プレート４１を有する。取付プレート４１は、閉状態の主扉２及び副扉３（図３参照）と平行な垂直板部４１ａを備え、この垂直板部４１ａの前面に、水平軸の軸受部を構成する筒状部が一体に形成されている。筒状部の両側には、回動部材４２の２つの筒状部４２ａが同一軸線上に配され、これら３つの筒状部にピン状の水平軸４３が挿通されており、回動部材４２は、水平軸４３を支点として上下方向へ回動可能とされている。
【００２０】
回動部材４２は、上記２つの筒状部４２ａが裏面に一体に形成された垂直プレート４２ｂと、この垂直プレート４２ｂがねじ等で固定される断面コ字状の垂直なベースプレート４２ｃとを備える。ベースプレート４２ｃの左右のアーム取付板部４２ｄには、主扉側アーム４４及び副扉側アーム４５がねじ等で固定されている。
【００２１】
主扉側アーム４４の先端には、合成樹脂製の当接部４８が取り付けられている。当接部４８は、円板状本体の前部に平坦部４８ａを設けた略円板形状として形成され、中心部に貫通した固定ねじにより主扉側アーム４４の先端に平坦部４８ａを正面に向けた状態で、固定されている。一方、副扉側アーム４５の先端には合成樹脂製の可動当接部４９が支軸４９ａにより回動自在に軸支され、可動当接部４９は合成樹脂により円板状に形成され、その中心部に支軸４９ａを貫通させて軸支される。
【００２２】
主扉側アーム４４及び副扉側アーム４５は、いずれも前方へ水平に伸び、主扉側アーム４４の先端の当接部４８は主扉２の裏面と、副扉側アーム４５の先端の可動当接部４９は副扉３の裏面とそれぞれ当接可能である。主扉側アーム４４の当接部４８は、水平軸４３と略同じ高さ位置又は水平軸４３よりも低い位置に在り（本実施形態では、水平軸４３と略同じ高さ位置に在る）、また、副扉側アーム４５の可動当接部４９は、水平軸４３よりも高い位置に在る。
【００２３】
さらに、主扉側アーム４４の当接部４８には、その前面に、平坦部４８ａが設けられ、この平坦部４８ａが主扉２の裏面に安定して当接するようになっている。一方、副扉側アーム４５の先端に回動自在に軸支された円板状の可動当接部４９は、副扉３を閉じたとき、副扉３の裏面を可動当接部４９に押し当てながら回動させ、扉開閉規制装置４の回動部材４２を円滑に回動させるようになっている。
【００２４】
また、取付プレート４１の水平板部４１ｃの上面には、自重により下方へ回動しようとする回動部材４２のベースプレート４２ｃと当接し、回動部材４２の下方への回動限界を規制する下限ストッパー４６がねじ等で固定されている。また、取付プレート４１の垂直板部４１ａの上端４１ｄは、回動部材４２が上方へ回動する際、垂直プレート４２ｂと当接し、回動部材４２の上方への回動限界を規制する上限ストッパーを構成している。
【００２５】
次に、上記構成の扉開閉規制装置４の動作を説明する。主扉２及び副扉３が共に開状態のとき、扉開閉規制装置４は、図２及び図５（Ａ）に示すような状態を保つ。この状態のとき、扉開閉規制装置４には、回動部材４２に対して自重による下方への回動力が作用しているが、ベースプレート４２ｃは下限ストッパー４６と当接しており、主扉側アーム４４の当接部４８は、水平軸４３と略同じ高さ位置（又は水平軸４３よりも低い位置）に在る。
【００２６】
この状態で主扉２を閉方向へ操作すると、主扉側アーム４４の当接部４８は主扉２の裏面と当接するようになるが、この当接部４８の高さ位置は水平軸４３の高さ位置と略同じ又は低いことから、当接部４８は上方へ押し上げられず、回動部材４２は上方へ回動しない。このため、主扉２の閉操作は、主扉側アーム４４によって阻止され、副扉３が開状態のときに主扉２を閉めることはできない。
【００２７】
一方、主扉２及び副扉３が開状態のときに副扉３を閉方向へ操作すると、副扉側アーム４５の可動当接部４９は副扉３の裏面と当接するようになる。このとき、可動当接部４９の高さ位置は水平軸４３よりも高いことから、可動当接部４９は副扉３の裏面によって押し上げられ、回動部材４２は上方へ回動し（逃げ）、副扉３を閉めることができる。このとき、回動自在の可動当接部４９は自在に回動し、円滑に回動部材４２を上方に回動させることができる。
【００２８】
その後、主扉２を閉めるときには、上記の如き回動部材４２の上方への回動に伴い、主扉側アーム４４の当接部４８は水平軸４３よりも高い位置に在るため、主扉２は主扉側アーム４４の当接部４８を押し上げ、閉じることができ、扉開閉規制装置４は、図３及び図５（Ｂ）に示すような状態となる。なお、共に閉状態の主扉２及び副扉３のいずれか一方の扉を開けると、回動部材４２は自重により下方へ回動し、扉開閉規制装置４は、図２及び図５（Ａ）に示す状態となる。
【００２９】
このように扉開閉規制装置は、主として簡素な構成の取付部材（取付プレート４１）と回動部材４２と上限、下限ストッパー４６との組み合わせによるものであるため、構造が簡単で安価になる。また、主扉側アーム４４及び副扉側アーム４５の先端に、各々、合成樹脂製の当接部４８，可動当接部４９が取り付けられているので、扉の裏面に当接したとき、扉に傷が付かず、使用者の手などがアームの先端に触れた場合でも、安全となる。さらに、副扉側アーム４５先端の可動当接部４９は回動自在に軸支されるので、副扉３を閉じたとき、副扉３の裏面を可動当接部４９に押し当てながら回動させ、扉開閉規制装置４の回動部材４２を円滑に回動させることができる。
【００３０】
図６〜図９は第２実施形態の扉開閉規制装置４を示している。上記第１実施形態と同様な部分については、図に上記と同一の符号を付して説明する。
【００３１】
この扉開閉規制装置４が組み込まれる制御盤は、図６に示すように、図１に図示した制御盤と同様、本体部１と観音開き式の主扉２及び副扉３を備える。そして、上記制御盤と同様、主扉２を開けると、制御盤内が断線状態（非活線状態）となり、主扉２を閉じると、制御盤内が活線状態となるよう構成されている。本体部１の天井１２には、主扉２及び副扉３の閉動作を規制する扉開閉規制装置４が取り付けられている。
【００３２】
この扉開閉規制装置４は、図７〜図９に示すように、本体部１の天井１２に水平板部４１ｅがねじ等で固定される断面Ｌ字状の取付プレート４１を有している。取付プレート４１は、閉状態の主扉２及び副扉３（図８参照）と平行な垂直板部４１ｆを備え、この垂直板部４１ｆの下端に、水平軸の軸受部を構成する２つの筒状部４１ｇが一体に形成されている。
【００３３】
２つの筒状部４１ｇの外側には、回動部材４２の２つの筒状部４２ａが同一軸線上に配され、これら４つの筒状部にピン状の水平軸４３が挿通されており、回動部材４２は、水平軸４３を支点として上下方向へ回動可能とされている。また、取付プレート４１側の２つの筒状部４１ｇの間には、水平軸４３が挿通されたコイルばね４７が配設されている。コイルばね４７の両端は、取付プレート４１の垂直板部４１ｆと下記垂直プレート４２ｂとに係止している。
【００３４】
回動部材４２は、上記２つの筒状部４２ａが裏面に一体に形成された垂直プレート４２ｂと、この垂直プレート４２ｂがねじ等で固定される断面コ字状の垂直なベースプレート４２ｃとを備える。ベースプレート４２ｃの左右のアーム取付板部４２ｄには、主扉側アーム４４及び副扉側アーム４５がねじ等で固定されている。
【００３５】
主扉側アーム４４の先端には、合成樹脂製の当接部４８が取り付けられている。当接部４８は、円板状本体の前部に平坦部４８ａを設けた略円板形状として形成され、中心部に貫通した固定ねじにより主扉側アーム４４の先端に平坦部４８ａを正面に向けた状態で、固定されている。一方、副扉側アーム４５の先端には合成樹脂製の可動当接部４９が支軸４９ａにより回動自在に軸支され、可動当接部４９は合成樹脂により円板状に形成され、その中心部に支軸４９ａを貫通させて軸支される。
【００３６】
主扉側アーム４４及び副扉側アーム４５は、いずれも前方へ水平に伸び、主扉側アーム４４の先端の当接部４８は主扉２の裏面と、副扉側アーム４５の先端の可動当接部４９は副扉３の裏面とそれぞれ当接可能である。主扉側アーム４４の当接部４８は、水平軸４３と略同じ高さ位置又は水平軸４３よりも高い位置に在り（本実施形態では、水平軸４３と略同じ高さ位置に在る）、また、副扉側アーム４５の可動当接部４９は、水平軸４３よりも低い位置に在る。
【００３７】
また、主扉側アーム４４の当接部４８には、その前面に、平坦部４８ａが設けられ、この平坦部４８ａが主扉２の裏面の裏面に安定して当接するようになっている。一方、副扉側アーム４５の先端に回動自在に軸支された円板状の可動当接部４９は、副扉３を閉じたとき、副扉３の裏面を可動当接部４９に押し当てながら回動させ、扉開閉規制装置４の回動部材４２を円滑に回動させるようになっている。
【００３８】
次に、上記構成の扉開閉規制装置４の動作を説明する。主扉２及び副扉３が共に開状態のとき、扉開閉規制装置４は、図７及び図９（Ａ）に示すような状態を保つ。この状態のとき、回動部材４２に対してコイルばね４７による上方への回動力が作用しているが、垂直板部４２ｃは取付プレート４１の垂直板部４１ｆと当接しており、主扉側アーム４４の当接部４８は、水平軸４３と略同じ高さ位置（又は水平軸４３よりも高い位置）に在る。ここで、取付プレート４１の垂直板部４１ｆは、回動部材４２の上方への回動限界を規制する上限ストッパーとして機能する。
【００３９】
この状態で主扉２を閉方向へ操作すると、主扉側アーム４４の当接部４８は主扉２の裏面と当接するようになるが、この当接部４８は水平軸４３の高さ位置と略同じ又は低い位置に在ることから、当接部４８は下方へ押し下げられず、回動部材４２は下方へ回動しない。このため、主扉２の閉操作は、主扉側アーム４４によって阻止され、副扉３が開状態のときに主扉２を閉じることはできない。
【００４０】
一方、主扉２及び副扉３が開状態のときに副扉３を閉方向へ操作すると、副扉側アーム４５の先端の可動当接部４９は副扉３の裏面と当接するようになる。このとき、可動当接部４９は水平軸４３よりも高い位置に在ることから、コイルばね４７のばね力に抗して可動当接部４９は副扉３の裏面によって押し下げられ、回動部材４２は下方へ回動し、副扉３を閉めることができる。このとき、回動自在の可動当接部４９は自在に回動し、円滑に回動部材４２を上方に回動させることができる。
【００４１】
その後、主扉２を閉めるときには、上記の如き回動部材４２の下方への回動に伴い、主扉側アーム４４の当接部４８は水平軸４３よりも低い位置に在るため、主扉２は、主扉側アーム４４の当接部４８を押し下げ、閉じることができ、扉開閉規制装置４は、図８及び図９（Ｂ）に示すような状態となる。
【００４２】
このように、扉開閉規制装置４は、主として簡素な構成の取付部材（取付プレート４１）と回動部材４２と上限ストッパー（垂直板部４１ｆ）とばね部材（コイルばね４７）の組み合わせによるものであるため、構造が簡単で安価になる。また、主扉側アーム４４及び副扉側アーム４５の先端に合成樹脂製の当接部４８、可動当接部４９が取り付けられているので、扉の裏面に当接したとき、扉に傷が付かず、使用者の手などがアームの先端に触れた場合でも、安全となる。さらに、副扉側アーム４５先端の可動当接部４９は回動自在に軸支されるので、副扉３を閉じたとき、副扉３の裏面を可動当接部４９に押し当てながら回動させ、扉開閉規制装置４の回動部材４２を円滑に回動させることができる。
【００４３】
なお、上記扉開閉規制装置４は、第１実施形態の扉開閉規制装置４と同様、本体部１の床１１に配設するようにしてもよい。
【００４４】
この場合の扉開閉規制装置４は、第３実施形態に係る扉開閉規制装置となり、その構成は、制御盤本体内部に固定される取付プレート４１と、取付プレート４１に配設され、閉状態の主扉２及び副扉３と平行な水平軸４３を回転中心として、外力により上方へ回動可能かつばね部材４７のばね力により下方へ回動可能な回動部材４２とを備え、取付プレート４１は、ばね力に抗し、回動部材４２と当接することにより、回動部材４２の下方への回動限界を規制する下限ストッパー（垂直板部４１ｆ）を有し、回動部材４２は、主扉２と当接可能な当接部４８を有する主扉側アーム４４と、副扉３と当接可能な可動当接部４９を有する副扉側アーム４５とを備え、回動部材４２がばね力により下限ストッパー４１ｆと当接状態にあるとき、主扉側アーム４４の当接部４８は、水平軸４３と略同じ高さ位置又は水平軸４３よりも低い位置に在り、また、回動部材４２がばね力により下限ストッパー４１ｆと当接状態にあるとき、副扉側アーム４５の当接部４９は、水平軸４３よりも高い位置に在る構成となる。
【００４５】
この第３実施形態の扉開閉規制装置４では、主扉２及び副扉３が共に開状態のときには、回動部材４２はばね力により下限ストッパー４１ｆと当接状態にあり、主扉側アーム４４の当接部４８は、水平軸４３と略同じ又は低い位置に在り、また、副扉側アーム４５の先端の可動当接部４９は、水平軸４３よりも高い位置に在る。この状態で主扉２を閉方向へ操作すると、主扉側アーム４４の先端の当接部４８は主扉２の裏面と当接するようになるが、この当接部４８の高さ位置は水平軸４３と略同じ又は低い位置に在ることから、当接部４８は上方へ押し上げられず、回動部材４２は上方へ回動しない。このため、副扉３を開けた状態で主扉２を閉じることはできない。
【００４６】
一方、主扉２及び副扉３が開状態のときに副扉３を閉方向へ操作すると、副扉側アーム４５の先端の可動当接部４９は副扉３の裏面と当接するようになる。このとき、可動当接部４９は水平軸４３よりも高い位置に在ることから、可動当接部４９は副扉３の裏面によってばね力に抗して押し下げられ、回動部材４２は上方へ回動する。この回動部材４２の上方への回動に伴い、主扉側アーム４４の当接部４８は水平軸４３よりも高い位置に在るようになり、その後に主扉２を閉方向へ操作したとき、主扉２は、主扉側アーム４４の当接部４８を押し上げ、閉じることができる。
【００４７】
このように第３実施形態の扉開閉規制装置４は、主として簡素な構成の取付プレート４１と回動部材４２と下限ストッパー４１ｆとばね部材４７の組み合わせによるものであるため、構造が簡単で安価になる。また、主扉側アーム４４及び副扉側アーム４５の先端に合成樹脂製の当接部４８，可動当接部４９が取り付けられているので、扉の裏面に当接したとき、扉に傷が付かず、使用者の手などがアームの先端に触れた場合でも、安全となる。
【符号の説明】
【００４８】
１      本体部
２      主扉
３      副扉
４      扉開閉規制装置
５      取付金具
５ａ    水平板部
５ｂ    垂直板部
１１    床
１２    天井
４１    取付プレート
４１ａ  垂直板部
４１ｃ  水平板部
４１ｄ  上端
４１ｅ  水平板部
４１ｆ  垂直板部（上限ストッパー，下限ストッパー）
４１ｇ  筒状部
４２    回動部材
４２ａ  筒状部
４２ｂ  垂直プレート
４２ｃ  ベースプレート
４２ｄ  アーム取付板部
４３    水平軸
４４    主扉側アーム
４５    副扉側アーム
４６    下限ストッパー
４７    ばね部材
４８    当接部
４８ａ  平坦部
４９    可動当接部
【図１】
0003176285.tif 000003
【図２】
0003176285.tif 000004
【図３】
0003176285.tif 000005
【図４】
0003176285.tif 000006
【図５】
0003176285.tif 000007
【図６】
0003176285.tif 000008
【図７】
0003176285.tif 000009
【図８】
0003176285.tif 000010
【図９】
0003176285.tif 000011